(57)【要約】  無線データネットワーク（１０４）（例えば、ＩＭＳ／ＷｉＦｉ網）及び無線音声ネットワーク（１０５）（例えば、携帯電話網）により普及しているデュアルモードの無線通信デバイス（１２０）に呼配信を行う通信ネットワーク（１００）及び方法を開示する。共通の加入者データベース（１０８）が、デュアルモードのデバイスの加入者データを含む。デュアルモードのデバイスに受信された呼は、無線ネットワーク（１０４、１０５）のうちの１つの呼制御機能（１１４、１１５）に経路指定される。次に呼制御機能（１１４、１１５）は、共通の加入者データベース（１０８）にクエリを行って、デュアルモードのデバイス（１２０）が現在どのネットワークに登録されているかを判定する。次に呼制御機能（１１４、１１５）は、適切なネットワークを介して呼をデュアルモードのデバイス（１２０）へ経路指定する。
2009508440.tif 000002
【特許請求の範囲】
【請求項１】
デュアルモードの無線通信デバイス（１２０）に呼配信を行う通信ネットワーク（１００）において、該通信ネットワーク（１００）が
無線通信デバイスにサービスを提供するように適合された呼制御機能（１１４）を有する無線データネットワーク（１０４）、及び
無線通信デバイスにサービスを提供するように適合された呼制御機能（１１５）を有する無線音声ネットワーク（１０５）
からなり、
該通信ネットワークが、
前記無線データネットワーク及び前記無線音声ネットワークに対して共通の加入者データベース（１０８）がデュアルモードの無線通信デバイスのユーザの加入者記録を有し、
前記呼制御機能（１１４〜１１５）のうちの１つが前記デュアルモードの無線通信デバイスへの呼を受信し、前記呼を受信したことに応答して、前記受信中の呼制御機能及び前記共通の加入者データベースが、前記デュアルモードの無線通信デバイスが前記無線データネットワークに登録されている場合は前記無線データネットワークを介して前記デュアルモードの無線通信デバイスに前記呼を経路指定するのに有効であり、及び前記デュアルモードの無線通信デバイスが前記無線音声ネットワークに登録されている場合は前記無線音声ネットワークを介して前記デュアルモードの無線通信デバイスに前記呼を経路指定するのに有効であることを特徴とする通信ネットワーク。
【請求項２】
請求項１記載の通信ネットワーク（１００）であって、さらに、
前記受信中の呼制御機能（１１４、１１５）が、前記デュアルモードの無線通信デバイス（１２０）がどのネットワークに登録されているかを判定するために前記共通の加入者データベース（１０８）にクエリを送信し、前記デュアルモードの無線通信デバイスがどのネットワークに登録されているかを示す前記クエリに対する応答を受信することをさらに特徴とする通信ネットワーク。
【請求項３】
請求項２記載の通信ネットワーク（１００）であって、さらに、
前記受信中の呼制御機能（１１４、１１５）が前記共通の加入者データベース（１０８）にクエリを送信するときタイマを設定することを特徴とする通信ネットワーク。
【請求項４】
請求項３記載の通信ネットワーク（１００）であって、さらに、
前記共通の加入者データベース（１０８）から応答を受信する前に前記タイマが切れた場合、前記受信中の呼制御機能（１１４、１１５）が前記呼に対して第２の呼処理を開始することを特徴とする通信ネットワーク。
【請求項５】
請求項１記載の通信ネットワーク（１００）であって、さらに、
前記無線データネットワーク（１０４）がＩＭＳ／ＷｉＦｉ網を含み、
前記無線音声ネットワーク（１０５）が携帯電話網を含み、
前記共通の加入者データベース（１０８）がホーム・ロケーション・レジスタ（ＨＬＲ）／ホーム加入者サーバ（ＨＳＳ）を含むことを特徴とする通信ネットワーク。
【請求項６】
デュアルモードの無線通信デイバスに呼配信を行うために通信ネットワークを操作する方法において、前記通信ネットワークが無線データネットワーク、無線音声ネットワーク、及び前記デュアルモードの無線通信デバイスのユーザについての加入者記録を有する共通の加入者データベースからなり、該方法が、
前記ネットワークのうちの１つの呼制御機能内で前記デュアルモードの無線通信デバイスへの呼を受信するステップ、
前記共通の加入者データベースの前記加入者記録に基づいて前記デュアルモードの無線通信デバイスがどのネットワークに登録されているかを判定するステップ、
前記デュアルモードの無線通信デバイスが前記無線データネットワークに登録されている場合、前記無線データネットワークを介して前記デュアルモードの無線通信デバイスへの呼を経路指定するステップ、及び
前記デュアルモードの無線通信デバイスが前記無線音声ネットワークに登録されている場合、前記無線音声ネットワークを介して前記デュアルモードの無線通信デイバスへの呼を経路指定するステップ
を特徴とする方法。
【請求項７】
請求項６記載の方法において、前記デュアルモードの無線通信デバイスがどのネットワークに登録されているかを判定するステップが、
前記デュアルモードの無線通信デバイスがどのネットワークに登録されているかを判定するために前記受信中の呼制御機能から前記共通の加入者データベースにクエリを送信するステップ、及び
前記共通の加入者データベースから、前記デュアルモードの無線通信デバイスがどのネットワークに登録されているかを示す、前記受信中の呼制御機能内で前記クエリに対する応答を受信するステップ
からなる方法。
【請求項８】
請求項７記載の方法であって、さらに、
前記クエリを前記共通の加入者データベースに送信するとき前記受信中の呼制御機能内でタイマを設定するステップを特徴とする方法。
【請求項９】
請求項８記載の方法であって、さらに、
前記共通の加入者データベースから応答を受信する前に前記タイマが切れた場合、前記呼に対する第２の呼処理を開始するステップを特徴とする方法。
【請求項１０】
無線データネットワーク（１０４）及び無線音声ネットワーク（１０５）と通信するように適合されたデュアルモードの無線通信デバイス（１２０）への呼配信を行うための通信ネットワーク（１００）において、該通信ネットワーク（１００）が、
前記無線データネットワーク（１０４）又は前記無線音声ネットワーク（１０５）のうちの１つにあり、無線通信デバイスにサービスを提供するように適合された呼制御機能（１１４、１１５）、及び
複数のユーザの加入者記録を有する加入者データベース（１０８）
からなり、
前記呼制御機能がデュアルモードの無線通信デバイスへの呼を受信し、前記デュアルモードの無線通信デバイスが前記無線データネットワークに登録されているか、又は前記無線音声ネットワークに登録されているかを判定するために前記加入者データベースへクエリを送信し、前記デュアルモードの無線通信デバイスがどちらのネットワークに登録されているかを示す前記クエリに対する応答を受信し、前記デュアルモードの無線通信デバイスが前記無線データネットワークに登録されている場合は前記無線データネットワークを介して前記デュアルモードの無線通信デバイスへの呼を経路指定し、前記デュアルモードの無線通信デバイスが前記無線音声ネットワークに登録されている場合は前記無線音声ネットワークを介して前記デュアルモードの無線通信デバイスへの呼を経路指定することを特徴とする通信ネットワーク。
【発明の詳細な説明】
【技術分野】
【０００１】
本発明は通信ネットワークの分野に関し、詳細には、デュアルモードの無線通信デバイスにサービスを提供する２つ以上のネットワーク間の呼配信に関する。
【背景技術】
【０００２】
無線電話のプロバイダは、携帯電話の無線ネットワーク（例えばＣＤＭＡ又はＧＳＭ）とＷｉＦｉ無線ネットワーク（例えば８０２．１１ｂ、８０２．１１ｇなど）の機能性を有するデュアルモードの電話を開発している。デュアルモードの電話の概念は、ユーザが携帯電話網ともＷｉＦｉ網とも柔軟に通信できるようにすることである。ＷｉＦｉ網は、一般に、インターネットの閲覧、電子メールなど、データ通信に利用される。またＷｉＦｉ網は、ＶｏＩＰ呼の形態で音声通信に利用される場合もある。携帯電話網は、一般に、音声通信に利用されるが、データ通信にも適合されている。
【０００３】
デュアルモードの電話は、団体又は企業、空港、書店、喫茶店などにあり、より一般的になりつつあるＷｉＦｉの「ホットスポット」を利用する。デュアルモードの電話は、ＷｉＦｉのホットスポットの範囲内にあるとき、データ通信、ＶｏＩＰ呼などのために、無線ＬＡＮ（ＷＬＡＮ）にアクセスすることができる。ＷＬＡＮは一般に、より効率的なデータ転送をするために、携帯電話網より広帯域を提供する。デュアルモードの電話がＷＬＡＮから出ると、携帯電話網に切り替えて、音声又はデータ通信を行うことができる。
【０００４】
ＷｉＦｉ網は、ＩＰマルチメディア・サブシステム（ＩＭＳ）と統合されることが可能である。第３世代パートナーシップ・プロジェクト（３ＧＰＰ）が、ＩＭＳネットワークのアーキテクチャ及びネットワーキングを説明する規格を示した。サービス・プロバイダは、次世代ネットワークの展開にこのアーキテクチャを受け入れている。まずＩＭＳアーキテクチャが、３ＧＰＰによりＩＰネットワーク上で携帯電話の加入者にマルチメディアサービスを提供するように定められる。ＩＰネットワークは、映像、音声、及びデータを転送するのに最も費用がかからない基幹ネットワークとなった。ＩＭＳは、ＩＰネットワークの利点を生かして、ＩＭＳプラットフォームでＩＭＳ加入者にマルチメディアサービスを提供する。ＩＭＳネットワーク内で使用される信号方式は、一般にセッション開始プロトコル（ＳＩＰ）である。ＩＭＳは、アプリケーション・サーバ（ＡＳ）、ＩＭＳコアネットワーク（ＣＳＣＦ）、ＩＭＳ加入者（ユーザ）、ＩＭＳデータベース（ＨＳＳ）、及びＩＭＳ課金要素の間の標準的なＳＩＰインターフェースを定める。ＩＭＳプラットフォームで、電話自動転送、電話会議、及びキャッチホンなどの従来の付加サービスが、ＩＭＳ加入者に利用可能である。また、インスタント・メッセージ、ビデオ電話、オンウェイトのビデオ（Ｖｉｄｅｏ  ｏｎ  ｗａｉｔ）、ウェブベースのサービスなど多くの新しいデータサービスも、ＩＭＳ加入者に利用可能になるであろう。
【発明の開示】
【発明が解決しようとする課題】
【０００５】
電話が２つの異なるネットワークと通信可能であると、ネットワーキングの問題が生じる。例えば、発呼者がデュアルモードの電話を持つユーザの番号に電話をかける場合、その電話は携帯電話網か、又はＩＭＳ／ＷｉＦｉ網に経路指定される可能性がある。ネットワーク・マネージャが直面する１つの問題が、デュアルモードの電話にとって２つのネットワークが利用可能であるときの呼配信である。より具体的には、ネットワーク・マネージャはどちらのネットワークに呼を経路指定して呼がデュアルモードの電話に受信されるようにするかを決定する必要がある。現在、デュアルモードの加入者に対する呼配信の問題に対処することができる基準がない。
【課題を解決するための手段】
【０００６】
本発明は、デュアルモードの加入者にサービスを提供する２つのネットワークに共通の加入者データベースを使用することによって、上述の及び他の関連する問題を解決する。共通の加入者データベースは、加入者のデュアルモードの電話が現在どのネットワークに登録されているかを示す、デュアルモードの加入者の加入者記録を維持する。デュアルモードの電話への呼が受信されると、共通の加入者データベースは加入者のデュアルモードの電話が現在どのネットワークに登録されているかを示す。次に呼はそのネットワークに送られ、又は経路指定され、続いてデュアルモードの電話に転送される。
【０００７】
共通の加入者データベースを使用することにより、２つのネットワーク間でより効果的に呼配信を管理できる。また、加入者データを呼配信のために単一の場所に格納することができる。呼配信の問題を解決することによってサービス・プロバイダは、デュアルモードの通信を加入者により効果的に提供することができる。
【０００８】
本発明の一実施形態では、通信ネットワークは、転送ネットワークと、無線データネットワークと、無線音声ネットワークと、共通加入者データベースとを含む。無線データネットワークの例には、ＷｉＦｉ／ＷｉＭａｘ通信を使用するＩＭＳネットワーク及びワイヤレスローカルエリアネットワーク（ＷＬＡＮ）がある。無線音声ネットワークの例には、ＣＤＭＡネットワーク又はＧＳＭネットワークなどの携帯電話網がある。無線データネットワーク及び無線音声ネットワークは共に、デュアルモードの無線通信デバイスとの通信に適合されている。
【０００９】
転送ネットワークが通信デバイスへの呼を受信した場合、転送ネットワークは所望の実装に応じて呼を無線データネットワーク又は無線音声ネットワークに経路指定する。ネットワークの一方の呼制御機能が、通信デバイスへの呼を受信する。呼制御機能は、通信デバイスが現在どのネットワークに登録されているかを判定するために、加入者データベースへクエリを送信する。加入者データベースは、１以上の加入者の加入者データを格納し、維持する。加入者データベースは、通信デバイスが登録されているネットワークを示す応答を呼制御機能に送信する。
【００１０】
通信デバイスが無線データネットワークに登録されている場合、呼制御機能は無線データネットワークを介して通信デバイスに呼を経路指定する。通信デバイスが無線音声ネットワークに登録されている場合、呼制御機能は無線音声ネットワークを介して通信デバイスに呼を経路指定する。
【００１１】
加入者データベースが、呼制御機能からのクエリに応答しない場合がある。呼配信がネットワークで所望の時間を越えて遅延しないようにするため、呼制御機能は加入者データベースにクエリを送信するときにタイマを設定する。その後呼制御機能は、タイマを監視する。タイマが切れる場合、呼制御機能は呼に対して第２の呼処理を行う。
【００１２】
本発明は、以下に説明する他の例示的な実施形態を含むことができる。
【発明を実施するための最良の形態】
【００１３】
すべての図面において、同じ参照符号は同じ要素を表す。
【００１４】
図１〜８及び次の説明は、本発明をどのように実施し使用するか当業者に教示するために、本発明の具体的な例示的実施形態を表す。発明の原理を教示するために、本発明の一部の従来の態様は簡略化又は省略されている。本発明の範囲内に入るこれらの実施形態から、当業者は変形形態を理解するであろう。以下に説明する特徴が様々な方法で結合されて、本発明の多くの変形形態を形成できることを、当業者は理解するであろう。結果として、本発明は以下に説明する特定の実施形態に限定されず、特許請求の範囲及びその均等物によってのみ限定される。
【００１５】
図１は、本発明の例示的実施形態における通信ネットワーク１００を示す。通信ネットワーク１００は、転送ネットワーク１０２と、無線データネットワーク１０４と、無線音声ネットワーク１０５と、共通の加入者データベース１０８とを含む。サービスエリアは分かれている又は重なっている場合があるので、ネットワークを示すネットワーク・クラウドは、ネットワークの実際のサービスを示すように使用されていない。無線データネットワーク１０４と無線音声ネットワーク１０５とは、一般に異なる目的（一方はデータ、一方は音声）に使用される別個のネットワークである。しかし、どちらのネットワーク１０４〜１０５も、共通のサービス・プロバイダによって管理されても、所有されてもよい。共通の加入者データベース１０８は、ネットワーク１０４〜１０５の外に示されているが、共通の加入者データベース１０８はネットワーク１０４〜１０５中に実装されることも可能であり、又は遠隔システムに実装されることも可能である。通信ネットワーク１００は、図１に示されていない他のネットワーク、システム、又はデバイスを含むことがある。
【００１６】
転送ネットワーク１０２は、無線データネットワーク１０４と無線音声ネットワーク１０５の一方又は両方に呼を転送するように適合されたネットワークを含む。転送ネットワーク１０２の例には、回路ベースのネットワーク（例えば、公衆電話交換網（ＰＳＴＮ））、又はパケットベースのネットワーク（例えば、インターネット）がある。
【００１７】
無線データネットワーク１０４は、典型的には、無線信号を介してデータ通信を行うネットワークを含む。無線データネットワーク１０４の例には、ＷｉＦｉ／ＷｉＭａｘ通信を使用するワイヤレスローカルエリアネットワーク（ＷＬＡＮ）がある。無線データネットワーク１０４の内部ネットワーキングは、３ＧＰＰで表されるＩＭＳアーキテクチャなどの技術を使用することができる。無線データネットワーク１０４の例示的な実装は、企業又はキャンパス内のエンタープライズ・ネットワークとして、又は空港、喫茶店などよくある公共の場の「ホットスポット」として存在する場合がある。無線データネットワーク１０４は、典型的には、データ通信に利用されるが、データネットワークがＶｏＩＰ呼などの音声通信を伝送することもできることを当業者は理解する。
【００１８】
無線データネットワーク１０４は、デュアルモードの無線通信デバイス１２０（本明細書では「通信デバイス」と呼ぶ）にサービスを提供するように適合された呼制御機能（ＣＣＦ）１１４を含む。ＩＭＳネットワークのＣＣＦ１１４の例は、呼サービス制御機能（ＣＳＣＦ）及び／又はアプリケーション・サーバ（ＡＳ）とすることができる。通信デバイス１２０は、サービス・プロバイダにより提供されるデュアルモード・サービスに加入するユーザ１２２により操作されている。
【００１９】
無線音声ネットワーク１０５は、典型的には、無線信号を介して音声通信を行うネットワークを含む。無線音声ネットワーク１０５の例には、ＣＤＭＡネットワーク又はＧＳＭネットワークなどの携帯電話網がある。無線音声ネットワーク１０５は、典型的には、音声通信に利用されるが、音声ネットワークがデータ通信を伝送することもできることを当業者は理解する。無線音声ネットワーク１０５は、通信デバイス１２０にサービスを提供するように適合された呼制御機能（ＣＣＦ）１１５を含む。携帯電話網のＣＣＦ１１５の例は、移動交換局（ＭＳＣ）とすることができる。
【００２０】
共通の加入者データベース１０８は、１以上の加入者についての加入者データを格納し維持するデータベース又は同様のシステムを含む。例えば、加入者データベース１０８は、ユーザ１２２についての加入者記録の形態で加入者データを維持することができる。加入者データベース１０８は、無線データネットワーク１０４か無線音声ネットワーク１０５によりアクセス可能であり、その結果、ネットワーク１０４又は１０５が加入者データを検索することができるようになっている。加入者データベース１０８は、単一の集中型システムを含むことも、複数のシステム間で分散させることもできる。複数のシステムに実装される場合、システムは共通の加入者記録を維持するために通信する。無線データネットワーク１０４がＩＭＳネットワークを含み、無線音声ネットワーク１０５が携帯電話網を含む場合、加入者データベース１０８の一例は、結合されたホーム・ロケーション・レジスタ（ＨＬＲ）／ホーム加入者サーバ（ＨＳＳ）とすることができる。
【００２１】
ユーザ１２２は、無線データネットワーク１０４と無線音声ネットワーク１０５の一方又は両方の範囲にいる場合がある。ユーザ１２２が無線データネットワーク１０４の範囲にいる場合、通信デバイス１２０は無線データネットワーク１０４に登録し、呼制御機能１１４が通信デバイス１２０にサービスを提供する。ユーザ１２２が無線音声ネットワーク１０５の範囲にいる場合、通信デバイス１２０は無線音声ネットワーク１０５に登録し、呼制御機能１１５が通信デバイス１２０にサービスを提供する。ユーザ１２２が両方のネットワーク１０４〜１０５の範囲にいる場合、通信デバイス１２０はユーザ１２２の選択により、又は自動的なデフォルトのパラメータにより、ネットワーク１０４〜１０５のうちの一方に登録する。通信デバイス１２０がネットワーク１０４〜１０５のうちの一方に登録すると、関連する呼制御機能１１４〜１１５が正確な加入者データで加入者データベース１０８を更新する。
【００２２】
転送ネットワーク１０２が、通信デバイス１２０への呼を受信すると仮定する。呼は、従来の回路ベースの呼又はＶｏＩＰ呼を含むことができる。転送ネットワーク１０２は、所望の実装に応じて呼を無線データネットワーク１０４か無線音声ネットワーク１０５に経路指定する。
【００２３】
図２は、本発明の例示的実施形態でデュアルモードの無線通信デバイスに呼配信を行うために通信ネットワークを操作する方法２００を示す流れ図である。方法２００のステップは、図１の通信ネットワーク１００を参照して説明する。図２の流れ図のステップは包括的なものではなく、図示していない他のステップを含むことがある。
【００２４】
方法２００のステップ２０２では、ＣＣＦ１１４又はＣＣＦ１１５が、転送ネットワーク１０２により経路指定された呼を受信する。呼を受信中のＣＣＦ１１４又は１１５が、所望の実装に委ねられる。呼を受信したことに応答して、受信中のＣＣＦ１１４又は１１５は、ステップ２０４において、通信デバイス１２０が現在どちらのネットワーク１０４又は１０５に登録されているかを判定するために、加入者データベース１０８にクエリを送信する。加入者データベース１０８はクエリを処理して、ユーザ１２２及び／又は通信デバイス１２０の加入者記録を確認する。クエリは、呼のダイヤル番号を含むことができ、加入者データベース１０８はこれを利用してユーザ１２２についての加入者記録を確認する。加入者記録は、どちらのネットワーク１０４又は１０５に通信デバイス１２０が登録されているかを示す。加入者データベース１０８は、ステップ２０６において登録のネットワーク１０４又は１０５を示す応答をＣＣＦ１１４又は１１５に送信する。
【００２５】
通信デバイス１２０が無線データネットワーク１０４に登録されている場合、ステップ２０８においてＣＣＦ１１４又は１１５が無線データネットワーク１０４を介して通信デバイス１２０に呼を経路指定する。例えば、無線データネットワーク１０４のＣＣＦ１１４が呼を受信しているＣＣＦである場合、ＣＣＦ１１４は単に従来の方法で無線データネットワーク１０４を介して通信デバイス１２０に呼を経路指定することができる。無線音声ネットワーク１０５のＣＣＦ１１５が呼を受信しているＣＣＦである場合、ＣＣＦ１１５は無線データネットワーク１０４のＣＣＦ１１４に呼を経路指定する必要がある。ＣＣＦ１１５は、転送ネットワーク１０２で、又は図１に示されていない別の介在する接続で呼をＣＣＦ１１４に経路指定することができる。次にＣＣＦ１１４は呼を従来の方法で無線データネットワーク１０４を介して通信デバイス１２０に経路指定することができる。
【００２６】
通信デバイス１２０が無線音声ネットワーク１０５に登録されている場合、ステップ２１０においてＣＣＦ１１４又は１１５が無線音声ネットワーク１０５を介して呼を通信デバイス１２０に経路指定する。例えば無線データネットワーク１０４のＣＣＦ１１４が呼を受信しているＣＣＦである場合、ＣＣＦ１１４は無線音声ネットワーク１０５のＣＣＦ１１５に呼を経路指定する必要がある。ＣＣＦ１１４は、転送ネットワーク１０２で、又は図１に示されていない別の介在する接続で呼をＣＣＦ１１５に経路指定することができる。次にＣＣＦ１１５は呼を従来の方法で無線音声ネットワーク１０５を介して通信デバイス１２０に経路指定することができる。無線音声ネットワーク１０５のＣＣＦ１１５が呼を受信しているＣＣＦである場合、ＣＣＦ１１５は単に従来の方法で無線音声ネットワーク１０５を介して呼を通信デバイス１２０に経路指定することができる。
【００２７】
通信デバイス１２０がどちらのネットワーク１０４又は１０５にも登録されていない場合、以下にさらに説明するようにＣＣＦ１１４又は１１５は、ステップ２１２において第２の呼処理を開始することができる。
【００２８】
上述の方法２００は、ネットワーク１０４〜１０５間の呼配信の有効な方法を提供することが有利である。上述のようにネットワーク間で予め収束されていなかったため、呼は、誤ったネットワークに経路指定されることにより応答を受けられなくなる可能性が高くなる。例えば、携帯電話網がユーザへの呼を受信したが、ユーザが現在企業のＷｉＦｉ網に登録されていたとすると、ユーザが企業のＷｉＦｉ網を利用可能であっても呼は音声メールへ送信される可能性がある。共通の加入者データベースを介するなど、ネットワークの収束により、複数のネットワーク間でより有効な呼配信が可能になる。
【００２９】
ステップ２０６において加入者データベース１０８がクエリに応答せず、ＣＣＦ１１４又は１１５は呼を通信デバイス１２０に経路指定することができない場合がある。例えば、ユーザ１２２がネットワーク１０４〜１０５の一方又は両方のサービスエリアの外に移動してしまう可能性があり、加入者データベース１０８はエラーメッセージで応答する。別の例では、加入者データベース１０８に輻輳又は問題があって、所望のタイムフレームでＣＣＦ１１４又は１１５に応答することができない場合がある。機能中のＣＣＦ１１４又は１１５が呼を通信デバイス１２０に経路指定できない場合、ＣＣＦ１１４又は１１５は呼に対して第２の呼処理を行う。第２の呼処理の例は、音声メール、自動転送などである。
【００３０】
図３は、本発明の例示的実施形態における第２の呼処理を開始する方法３００を示す流れ図である。方法３００のステップについて、図１の通信ネットワーク１００を参照して説明する。図３の流れ図のステップは包括的なものではなく、図示していない他のステップを含むことがある。
【００３１】
ステップ３０２において、ＣＣＦ１１４又は１１５は、加入者データベース１０８にクエリを送信するとき（図２のステップ２０４を参照）タイマ（Ｔ１）を設定する。ＣＣＦ１１４又は１１５はその後ステップ３０４においてタイマを監視する。タイマが切れた場合、ステップ３０６においてＣＣＦ１１４又は１１５が第２の呼処理を開始する。タイマが切れる前にＣＣＦ１１４又は１１５が加入者データベース１０８から応答を受信した場合は、ＣＣＦ１１４又は１１５は図２のステップ２０６〜２１０で説明したように呼を経路指定する（ステップ３０８）。タイマが切れる前にＣＣＦ１１４又は１１５が加入者データベース１０８からエラーメッセージを受信した場合は、ＣＣＦ１１４又は１１５は第２の呼処理を行う（ステップ３０６）。
【００３２】
図４は、本発明の例示的実施形態における通信ネットワーク４００の別の実施形態を示す。通信ネットワーク４００は、ＰＳＴＮ４０２と、ＩＭＳ／ＷｉＦｉ網４０４と、携帯電話網４０５と、組み合わされたＨＬＲ／ＨＳＳ要素４０８とを含む。サービスエリアは分かれている又は重なっている場合があるので、ネットワーク４０４〜４０５を描いているネットワーク・クラウドは、ネットワークの実際のサービスを示すように使用されていない。ＩＭＳ／ＷｉＦｉ網４０４及び携帯電話網４０５は、一般に異なった目的に使用される別個のネットワークである。ＩＭＳ／ＷｉＦｉ網４０４は、一般にデータ通信に使用される。携帯電話網４０５は、一般に音声通信に使用される。しかし、ネットワーク４０４〜４０５及びＨＬＲ／ＨＳＳ要素４０８は、Ｖｅｒｉｚｏｎ、Ｓｐｒｉｎｔ、Ｃｉｎｇｕｌａｒなどの同じサービス・プロバイダにより管理されることが可能である。ＨＬＲ／ＨＳＳ４０８は、ネットワーク４０４〜４０５の外に示されているが、ＨＬＲ／ＨＳＳ４０８は、ネットワーク４０４〜４０５のどちらか又は両方の中に実装されることが可能であり、あるいは遠隔システムに実装されることが可能である。通信ネットワーク４００は、図４に示されていない他のネットワーク、システム、又はデバイスを含むことができる。
【００３３】
ＩＭＳ／ＷｉＦｉ網４０４は、８０２．１１ｂ又は８０２．１１ｇなどの無線技術を使用して結合されたＩＭＳ網及びＷｉＦｉ／ＷｉＭａｘ網である。ＩＭＳ／ＷｉＦｉ網４０４は、大企業、大規模キャンパスなどのエンタープライズ・ネットワークを含むことができる。ＩＭＳ／ＷｉＦｉ網４０４は、メディア・ゲートウェイ制御機能（ＭＧＣＦ）／ブレークアウト・ゲートウェイ制御機能（ＢＧＣＦ）４１１と、問い合わせ呼セッション制御機能（Ｉ−ＣＳＣＦ）４１２と、サービング呼セッション制御機能（Ｓ−ＣＳＣＦ）４１３と、アプリケーション・サーバ（ＡＳ）４１４と、基地局（Ｂ．Ｓ．）４１５とを含む。ＭＧＣＦ／ＢＧＣＦ４１１、Ｉ−ＣＳＣＦ４１２、Ｓ−ＣＳＣＦ４１２、及びＡＳ４１４は、ＩＭＳネットワークの３ＧＰＰ規格に精通している人々には知られている。基地局４１５は、デュアルモードの電話４２０などのＷｉＦｉデバイスと通信するのに使用されるＷｉＦｉ／ＭｉＭａｘトランシーバである。ＩＭＳ／ＷｉＦｉ網４０４は、さらに多くの基地局４１５を含む場合があるが、簡潔にするために示していない。
【００３４】
携帯電話網４０５は、ＣＤＭＡ網又はＧＳＭ網など、あらゆる携帯電話網を含む。携帯電話網４０５は、サービング移動通信交換局（Ｓ−ＭＳＣ）４２４と、基地局（Ｂ．Ｓ．）４２６とを含む。Ｓ−ＭＳＣ４２４は、当技術分野で知られている在圏ロケーション・レジスタ（ＶＬＲ）を含む。
【００３５】
ＨＬＲは、携帯電話網で加入者の記録を格納するのに使用されるデータベースとして知られている。同様にＨＳＳは、ＩＭＳ網で加入者の記録を格納するのに使用されるデータベースとして知られている。ＨＬＲ／ＨＳＳ４０８は、結合されたＨＬＲ／ＨＳＳである。ＨＬＲ／ＨＳＳ４０８は、物理的に結合された装置とすることができ、又は加入者データを同期する複数の装置を含んで単一の装置であるように見える場合もある。
【００３６】
電話４２０のユーザ４２２は、ＩＭＳ／ＷｉＦｉ網４０４と携帯電話網４０５の一方又は両方の範囲にいる場合がある。ユーザ４２２がＩＭＳ／ＷｉＦｉ網４０４の範囲にいる場合、電話４２０はＩＭＳ／ＷｉＦｉ網４０４に登録し、Ｓ−ＣＳＣＦ４１３が電話４２０にサービスを提供する。ユーザ４２２が携帯電話網４０５の範囲にいる場合、電話４２０は携帯電話網４０５に登録し、ＭＳＣ４２４が電話４２０にサービスを提供する。ユーザ４２２が両方のネットワーク４０４〜４０５の範囲にいる場合、電話４２０はユーザ４２２の選択により、又は自動的なデフォルトパラメータにより、ネットワーク４０４〜４０５の一方に登録する。電話４２０がネットワーク４０４〜４０５の一方に登録すると、ＨＬＲ／ＨＳＳ４０８は適切な加入者データで更新される。
【００３７】
ＰＳＴＮ４０２が電話４２０への呼を受信すると仮定する。ＰＳＴＮ４０２は、この呼を所望の実装に応じてＩＭＳ／ＷｉＦｉ網４０４か、携帯電話網４０５に経路指定する。この実施形態では、呼がデフォルトとしてＩＭＳ／ＷｉＦｉ網４０４に経路指定されると仮定する。
【００３８】
図５〜８は、通信ネットワーク４００における呼配信及び第２の呼処理の例を示すメッセージ・ダイアグラムである。
【００３９】
図５は、電話４２０がＩＭＳ／ＷｉＦｉ網４０４に登録されている例を示す。ＰＳＴＮ４０２が、イニシャル・アドレス・メッセージ（ＩＡＭ）又は何か他のＩＳＤＮユーザ部（ＩＳＵＰ）メッセージなどの呼設定メッセージの形態で電話４２０への呼を受信する。ＰＳＴＮ４０２は、セッション開始プロトコル（ＳＩＰ）のＩＮＶＩＴＥメッセージをＭＧＣＦ／ＢＧＣＦ４１１に送信する。ＩＮＶＩＴＥメッセージは、電話４２０又はユーザ４２２の加入者ＩＤを含む。次にＭＧＣＦ／ＢＧＣＦ４１１が、Ｉ−ＣＳＣＦ４１２を介してＳ−ＣＳＣＦ４１３にＩＮＶＩＴＥメッセージを送信する。Ｓ−ＣＳＣＦ４１３が、ＡＳ４１４にＩＮＶＩＴＥメッセージを送信する。ＡＳ４１４は、加入者ＩＤに基づいてユーザ４２２がデュアルモードの加入者であることを判定する。ＡＳ４１４は次にタイマ（Ｔｉ）を設定し、Ｓ−ＣＳＣＦ４１３を介してＨＬＲ／ＨＳＳ４０８にＩＮＶＩＴＥメッセージを送信する。ＩＮＶＩＴＥメッセージは、どちらのネットワーク４０４又は４０５に電話４２０が登録されているかを判定するためにクエリとして働く。
【００４０】
ＩＮＶＩＴＥメッセージに応答して、ＨＬＲ／ＨＳＳ４０８が、電話４２０はどちらのネットワーク４０４又は４０５に登録されているかを判定する。この例では、電話４２０はＩＭＳ／ＷｉＦｉ網４０４に登録されている。ＨＬＲ／ＨＳＳ４０８は、Ｓ−ＣＳＣＦ４１３に、電話４２０がＩＭＳ／ＷｉＦｉ網４０４に登録されていることを示すＩＮＶＩＴＥメッセージを送信する。Ｓ−ＣＳＣＦ４１３は、ＡＳ４１４に、Ｓ−ＣＳＣＦ４１３がＨＬＲ／ＨＳＳ４０８から有効な応答を受信したことを示すＩＮＶＩＴＥメッセージを送信する。またＳ−ＣＳＣＦ４１３は、基地局４１５及び場合により他のシステムを介して電話４２０へＩＮＶＩＴＥメッセージを送って、ＩＭＳ／ＷｉＦｉ網４０４から電話４２０への呼を完了する。ＡＳ４１４は、タイマが切れる前にＨＬＲ／ＨＳＳ４０８がＳ−ＣＳＣＦ４１３へ有効な応答を送ったという表示を受信するので、ＡＳ４１４は第２の呼処理を行わず、呼を正常に完了させる。この実装に基づいて、通信ネットワーク４００は、電話４２０への呼配信を行うのに適切なネットワーク４０４又は４０５を効果的に選択する。
【００４１】
電話４２０が別の外部のＨＳＳ（図示しない）に登録されていた場合、ＨＬＲ／ＨＳＳ４０８はＤｉａｍｅｔｅｒのインターフェースによって標準ベースの加入／通知機能を使用し、加入者関連データを手に入れる。次にＳ−ＣＳＣＦ４１３が取得した加入者関連データに基づいて呼を経路指定することができる。
【００４２】
図６は、電話４２０が携帯電話網４０５に登録されている例を示す。図６のメッセージ伝達は、図５と同様に流れ、ＨＬＲ／ＨＳＳ４０８はＳ−ＣＳＣＦ４１３からＩＮＶＩＴＥメッセージを受信する。ＩＮＶＩＴＥメッセージに応答して、ＨＬＲ／ＨＳＳ４０８が、電話４２０はどちらのネットワーク４０４又は４０５に登録されているかを判定する。この例では、電話４２０は携帯電話網４０５に登録されている。ＨＬＲ／ＨＳＳ４０８は経路指定メッセージ（ＲＯＵＴＲＥＱ）メッセージをＳ−ＭＳＣ４２４に送って呼に対する経路情報を決定する。Ｓ−ＭＳＣ４２４は、呼の一時的ローカルディレクトリ番号（ＴＬＤＮ）を示す経路要求メッセージで応答する。経路要求メッセージに応答して、ＨＬＲ／ＨＳＳ４０８は、ＴＬＤＮを示すＳ−ＣＳＣＦ４１３にＩＮＶＩＴＥメッセージを送信する。Ｓ−ＣＳＣＦ４１３は、ＡＳ４１４に、Ｓ−ＣＳＣＦ４１３がＨＬＲ／ＨＳＳ４０８から有効な応答を受信したことを示すＩＮＶＩＴＥメッセージを送信する。ＡＳ４１４は、タイマが切れる前にＨＬＲ／ＨＳＳ４０８がＳ−ＣＳＣＦ４１３へ有効な応答を送ったという表示を受信するので、ＡＳ４１４は第２の呼処理を行わず、呼を正常に完了させる。
【００４３】
ＨＬＲ／ＨＳＳ４０８からの応答に基づき、Ｓ−ＣＳＣＦ４１３は、呼が携帯電話網４０５に経路指定される必要があることを判定することができる。したがって、Ｓ−ＣＳＣＦ４１３は、呼のＴＬＤＮを示すＩＮＶＩＴＥメッセージをＭＧＣＦ／ＢＧＣＦ４１１に送信する。ＴＬＤＮに基づき、ＭＧＣＦ／ＢＧＣＦ４１１がＩＡＭをＳ−ＭＳＣ４２４に送信して、携帯電話網４０５を介して電話４２０への呼を完了する。例えば、Ｓ−ＭＳＣ４２４がＩＡＭを受信し、基地局４２６を介して電話４２０に適切な呼設定シグナリングを送信する。
【００４４】
図７は、電話４２０がネットワーク４０４〜４０５のいずれにも登録されていない、又は応答しない例を示す。図７のメッセージ伝達は、図５と同様に流れ、ＨＬＲ／ＨＳＳ４０８はＳ−ＣＳＣＦ４１３からＩＮＶＩＴＥメッセージを受信する。ＩＮＶＩＴＥメッセージに応答して、ＨＬＲ／ＨＳＳ４０８が、電話４２０はどちらのネットワーク４０４又は４０５に登録されているかを判定する。この例では、電話４２０はネットワーク４０４〜４０５のいずれにも登録されていない、又は応答しない。ＨＬＲ／ＨＳＳ４０８は、Ｓ−ＣＳＣＦ４１３にエラーメッセージ（４ＸＸ）を送信する。Ｓ−ＣＳＣＦ４１３は、ＡＳ４１４にエラーメッセージを送信する。エラーメッセージに応答して、ＡＳ４１４が呼の第２の呼処理を開始する。第２の呼処理は、呼を音声メールサーバへ経路指定すること、自動転送情報を決定することなどを含むことができる。
【００４５】
図８は、ＨＬＲ／ＨＳＳ４０８がＳ−ＣＳＣＦ４１３に応答しないでタイマが切れる例を示す。図８のメッセージ伝達は、図５と同様に流れ、ＨＬＲ／ＨＳＳ４０８はＳ−ＣＳＣＦ４１３からＩＮＶＩＴＥメッセージを受信する。ＩＮＶＩＴＥメッセージに応答して、ＨＬＲ／ＨＳＳ４０８が、電話４２０はどちらのネットワーク４０４又は４０５に登録されているかを判定しようと試みる。ＨＬＲ／ＨＳＳ４０８は、この判定に問題を有する場合がある。例えば、電話４２０は、以前にＩＭＳ／ＷｉＦｉ網４０４又は携帯電話網４０５に登録されていた可能性があるが、ネットワーク４０４〜４０５のいずれにも応答していない。別の例では、タイマに指定された継続時間が短すぎる可能性がある。別の例では、ＨＬＲ／ＨＳＳ４０８が、スイッチなど他のネットワーク要素からの応答を取得しようと試みるときにネットワークの遅延に遭遇する場合がある。
【００４６】
ＨＬＲ／ＨＳＳ４０８がＳ−ＣＳＣＦ４１３からのＩＮＶＩＴＥメッセージに応答する前に、ＡＳ４１４はタイマが切れたと判定する。タイマが切れるのに応答して、ＡＳ４１４が呼の第２の呼処理を開始する。
【００４７】
本明細書で特定の実施形態を説明したが、本発明の範囲はこれら特定の実施形態に限定されない。本発明の範囲は、添付の特許請求の範囲及びその均等物によって定められる。
【図面の簡単な説明】
【００４８】
【図１】本発明の例示的実施形態における通信ネットワークを示す図である。
【図２】本発明の例示的実施形態においてデュアルモードの無線通信デバイスに呼配信を行うために通信ネットワークを操作する方法を示す流れ図である。
【図３】本発明の例示的実施形態における第２の呼処理を開始する方法を示す流れ図である。
【図４】通信ネットワークの別の実施形態を示す図である。
【図５】図４の通信ネットワークにおける呼配信及び第２の呼処理の例を示すメッセージ・ダイアグラムである。
【図６】図４の通信ネットワークにおける呼配信及び第２の呼処理の例を示すメッセージ・ダイアグラムである。
【図７】図４の通信ネットワークにおける呼配信及び第２の呼処理の例を示すメッセージ・ダイアグラムである。
【図８】図４の通信ネットワークにおける呼配信及び第２の呼処理の例を示すメッセージ・ダイアグラムである。
【図１】
2009508440.tif 000003
【図２】
2009508440.tif 000004
【図３】
2009508440.tif 000005
【図４】
2009508440.tif 000006
【図５】
2009508440.tif 000007
【図６】
2009508440.tif 000008
【図７】
2009508440.tif 000009
【図８】
2009508440.tif 000010
【国際調査報告】
2009508440.tif 000011
2009508440.tif 000012
2009508440.tif 000013